【手続補正書】
【提出日】平成27年6月10日(2015.6.10)
【手続補正１】
【補正対象書類名】特許請求の範囲
【補正対象項目名】全文
【補正方法】変更
【補正の内容】
【特許請求の範囲】
【請求項１】
少なくとも１つのヨードカーボン；および
該少なくとも１つのヨードカーボンを分解に対して安定化するために有効な量の、
少なくとも１つのジエンベース化合物；
を含む、熱伝達組成物。
【請求項２】
少なくとも１つのヒドロフルオロアルケンをさらに含む請求項１に記載の熱伝達組成物。
【請求項３】
（ａ）少なくとも１つのテトラフルオロプロペン（ＨＦＯ−１２３４）を含む少なくとも１つのフルオロアルケン；
（ｂ）ＣＦ３Ｉを含む少なくとも１つのヨードカーボン；および
（ｃ）少なくとも１つのジエンまたはジエンベース安定剤；
を含み、１０００以下の地球温暖化係数（ＧＷＰ）を有する、熱伝達組成物。
【請求項４】
該少なくとも１つのフルオロアルケンがＨＦＯ−１２３４ｙｆを含む、請求項３記載の熱伝達組成物。
【請求項５】
ＨＦＯ−１２３４ｙｆおよびＣＦ３Ｉの合計重量ベースの５重量％から９９重量％のＨＦＯ−１２３４ｙｆを含む、請求項４記載の熱伝達組成物。
【請求項６】
ＨＦＯ−１２３４ｙｆおよびＣＦ３Ｉの合計重量ベースの５０重量％から９５重量％のＨＦＯ−１２３４ｙｆを含む、請求項４記載の熱伝達組成物。
【請求項７】
ＨＦＯ−１２３４ｙｆおよびＣＦ３Ｉの合計重量ベースの６５重量％から７５重量％のＨＦＯ−１２３４ｙｆを含む、請求項４記載の熱伝達組成物。
【請求項８】
該少なくとも１つのフルオロアルケンがＨＦＯ−１２３４ｚｅを含む、請求項３記載の熱伝達組成物。
【請求項９】
該少なくとも１つのフルオロアルケンがシスＨＦＯ−１２３４ｚｅまたはトランスＨＦＯ−１２３４ｚｅを含む、請求項３記載の熱伝達組成物。
【請求項１０】
該少なくとも１つのフルオロアルケンがトランスＨＦＯ−１２３４ｚｅを含む、請求項３記載の熱伝達組成物。
【請求項１１】
８５重量％以下のＨＦＯ−１２３４ｚｅを含む請求項８記載の熱伝達組成物。
【請求項１２】
少なくとも１つのジエンまたはジエンベース安定剤が、アリルエーテル、プロパジエン、ブタジエン、イソプレン−ベース化合物ならびに２以上のこれらの組み合わせからなる群から選択される、請求項３〜１１のいずれかに記載の熱伝達組成物。
【請求項１３】
少なくとも１つのジエンまたはジエンベース安定剤が、テルペンまたはテルペン誘導体から選ばれるイソプレン−ベース化合物である、請求項３に記載の熱伝達組成物。
【請求項１４】
少なくとも１つのジエンまたはジエンベース安定剤が、プロパジエンを含む、請求項３に記載の熱伝達組成物。
【請求項１５】
少なくとも１つのジエンまたはジエンベース安定剤が、少なくとも１つのイソプレン−ベース化合物を含む、請求項３に記載の熱伝達組成物。
【請求項１６】
少なくとも１つのジエンまたはジエンベース安定剤が、少なくとも１つのテルペンまたはテルペン誘導体を含む、請求項１４に記載の熱伝達組成物。
【請求項１７】
前記少なくとも１つのテルペンまたはテルペン誘導体が、イソプレン、テレベン、ミルセン、リモネン、レチナール、ピネン、メントール、ゲラニオール、ファルネソール、フィトール、ビタミンＡ１、テルピネン、δ−３カレン、テルピノレン、フェランドレン、フェンチェンおよびそれらの全異性体およびそれらの配合物から選ばれるイソプレン、テルペンまたはテルペン誘導体から選ばれる、請求項１６記載の熱伝達組成物。
【請求項１８】
前記テルペンがミルセンである、請求項１６記載の熱伝達組成物。
【請求項１９】
前記テルペン誘導体がファルネソールである、請求項１６記載の熱伝達組成物。
【請求項２０】
前記テルペン誘導体がゲラニオールである、請求項１６記載の熱伝達組成物。
【請求項２１】
前記少なくとも１つのジエンまたはジエンベース安定剤が組成物の合計重量ベースの０．０００１から３０重量％の量で組成物中に存在する、請求項３〜２０のいずれかに記載の組成物。
【請求項２２】
前記少なくとも１つのジエンまたはジエンベース安定剤が組成物の合計重量ベースの０．００１から１５重量％の量で組成物中に存在する、請求項２１に記載の組成物。
【請求項２３】
前記少なくとも１つのジエンまたはジエンベース安定剤が組成物の合計重量ベースの０．０１から１０重量％の量で組成物中に存在する、請求項２２に記載の組成物。
【請求項２４】
前記少なくとも１つのジエンまたはジエンベース安定剤が組成物の合計重量ベースの０．３から５重量％の量で組成物中に存在する、請求項２３に記載の組成物。
【請求項２５】
前記少なくとも１つのジエンまたはジエンベース安定剤が組成物の合計重量ベースの１から２重量％の量で組成物中に存在する、請求項２４に記載の組成物。
【請求項２６】
前記少なくとも１つのヨードカーボンが組成物の合計重量ベースの１５から５０重量％の量で組成物中に存在する、請求項１〜２５のいずれかに記載の組成物。
【請求項２７】
前記少なくとも１つのヨードカーボンが組成物の合計重量ベースの２０から４０重量％の量で組成物中に存在する、請求項２６に記載の組成物。
【請求項２８】
前記少なくとも１つのヨードカーボンが組成物の合計重量ベースの２５から３５重量％の量で組成物中に存在する、請求項２７に記載の組成物。
【請求項２９】
ジフルオロメタン（ＨＦＣ−３２）、ペンタフルオロエタン（ＨＦＣ−１２５）、１，１，２，２−テトラフルオロエタン（ＨＦＣ−１３４）、１，１，１，２−テトラフルオロエタン（ＨＦＣ−１３４ａ）、ジフルオロエタン（ＨＦＣ−１５２ａ）、１，１，１，２，３，３，３−ヘプタフルオロプロパン（ＨＦＣ−２２７ｅａ）、１，１，１，３，３，３−ヘキサフルオロプロパン（ＨＦＣ−２３６ｆａ）、１，１，１，３，３−ペンタフルオロプロパン（ＨＦＣ−２４５ｆａ）、１，１，１，３，３−ペンタフルオロブタン（ＨＦＣ−３６５ｍｆｃ）、水、およびＣＯ２からなる群より選択された１以上の共冷媒をさらに含む、請求項１〜２８のいずれかに記載の熱伝達組成物。
【請求項３０】
５００以下の地球温暖化係数（ＧＷＰ）を有する、請求項１〜２９のいずれかに記載の熱伝達組成物。
【請求項３１】
１５０以下の地球温暖化係数（ＧＷＰ）を有する、請求項３０に記載の熱伝達組成物。
【請求項３２】
７５以下の地球温暖化係数（ＧＷＰ）を有する、請求項３１に記載の熱伝達組成物。
【請求項３３】
０．０５以下のオゾン層破壊係数（ＯＤＰ）を有する、請求項１〜３２のいずれかに記載の熱伝達組成物。
【請求項３４】
０．０２以下のオゾン層破壊係数（ＯＤＰ）を有する、請求項３３に記載の熱伝達組成物。
【請求項３５】
少なくとも１つの潤滑剤をさらに含む、請求項３に記載の熱伝達組成物。
【請求項３６】
前記潤滑剤が鉱油、ポリオールエステル油、ポリアルキレングリコール、ポリビニルエーテル、アルキルベンゼン、ポリαオレフィン、およびこれらの２以上の組み合わせからなる群より選択される、請求項３５に記載の熱伝達組成物。
【請求項３７】
前記潤滑剤が鉱油、ポリオールエステル油、ポリアルキレングリコール、およびアルキルベンゼンからなる群より選択される、請求項３５に記載の熱伝達組成物。
【請求項３８】
前記鉱油がナフテン鉱油またはパラフィン鉱油である、請求項３６または３７に記載の熱伝達組成物。
【請求項３９】
（ａ）トランスＨＦＯ−１２３４ｚｅを含む少なくとも１つのフルオロアルケン；
（ｂ）ＣＦ３Ｉから本質的になる少なくとも１つのヨードカーボン；および
（ｃ）少なくとも１つのジエンまたはジエンベース安定剤；
を含み、
５００以下の地球温暖化係数（ＧＷＰ）を有し、０．０５以下のオゾン層破壊係数（ＯＤＰ）を有し、
前記少なくとも１つのフルオロアルケンが前記少なくとも１つのフルオロアルケンおよび前記少なくとも１つのヨードカーボンの合計重量ベースの５０重量％から９０重量％の量で存在し、
前記ＣＦ３Ｉが前記少なくとも１つのフルオロアルケンおよび前記少なくとも１つのヨードカーボンの合計重量ベースの１０から５０重量％の量で組成物中に存在し、
前記少なくとも１つのジエンまたはジエンベース安定剤が組成物の合計重量ベースの０．０１から１０．０重量％の量で組成物中に存在する、熱伝達組成物。
【請求項４０】
（ａ）トランスＨＦＯ−１２３４ｙｆを含む少なくとも１つのフルオロアルケン；
（ｂ）ＣＦ３Ｉから本質的になる少なくとも１つのヨードカーボン；および
（ｃ）少なくとも１つのジエンまたはジエンベース安定剤；
を含み、
５００以下の地球温暖化係数（ＧＷＰ）を有し、０．０５以下のオゾン層破壊係数（ＯＤＰ）を有し、
前記少なくとも１つのフルオロアルケンが前記ＨＦＯ−１２３４ｙｆおよび前記ＣＦ３Ｉの合計重量ベースの５０重量％から９５重量％のＨＦＯ−１２３４ｙｆを含み、
前記少なくとも１つのジエンまたはジエンベース安定剤が組成物の合計重量ベースの０．０１から１０．０重量％の量で組成物中に存在する、熱伝達組成物。
【請求項４１】
請求項１〜４０のいずれかに記載の熱伝達組成物を用いる方法。
【請求項４２】
請求項１〜４０のいずれかに記載の熱伝達組成物と流体または物体を接触させることを含む、流体または物体へ、あるいは流体または物体から熱を伝達する方法。
【請求項４３】
請求項１〜４０のいずれかに記載の熱伝達組成物を含む冷凍システム。
【請求項４４】
自動車用空調システムおよび装置、市販の冷凍システムおよび装置、チラー、住宅用冷凍冷蔵庫、一般の空調システム、ヒートポンプ、ＯＲＣ、ＣＲＣおよびこれらの２以上の組み合わせからなる群から選ばれる、請求項４３に記載の冷凍システム。
【請求項４５】
自動車用空調システムおよび装置、市販の冷凍システムおよび装置、および一般の空調システムからなる群から選ばれる、請求項４３に記載の冷凍システム。
【請求項４６】
冷媒システム内に含まれる現存冷媒を取り替える方法であって、該システムから該現存冷媒の少なくとも一部分を取り出し、請求項１〜４０のいずれかに記載の熱伝達組成物を該システム内に導入することによって該現存冷媒の少なくとも一部分を取り替えることを含む、該方法。
【請求項４７】
前記現存冷媒がＨＦＣ−１３４ａを含む、請求項４６記載の方法。
【請求項４８】
前記冷媒システムが、自動車用空調システム、市販の冷凍システム、または一般の空調システムを含む、請求項４６または４７に記載の方法。
【請求項４９】
前記フルオロアルケンがＨＦＯ−１２３４ｙｆを含む、請求項４６〜４８のいずれかに記載の方法。
【請求項５０】
前記フルオロアルケンがＨＦＯ−１２３４ｙｆを熱伝達組成物の５〜９５重量％の量で含む、請求項４６〜４８のいずれかに記載の方法。